(57)【要約】      （修正有）【課題】第１の粒状物の太さより小さい挿通穴を有し、当該第１の粒状物の挿通穴より大きい大きさを有する第２粒状物を枕本体内に混合収納して、一方の粒状物が他方の粒状物内に入らないようにした。【解決手段】枕本体１の分割嚢（分割体）８（表分離層５）には硬質筒粒状物２１及び球粒状物２３が内蔵され、上裏分離層６ａには軟質筒粒状物２２及び球粒状物２３が内蔵される。球粒状物２３の挿通穴２６は、硬質筒粒状物２１及び軟質筒粒状物２２の太さより小さく、球粒状物２３の大きさは硬質筒粒状物２１及び軟質筒粒状物２２の挿通穴２４、２５より大きいので、一方が他方の中に入り込んでしまわない。軟質筒粒状物２２は硬質筒粒状物２１より軟らかく別々に収納されるので、軟質筒粒状物２２が硬質筒粒状物２１の中に入ってしまうことがない。硬質筒粒状物２１は分割嚢８に分散されて偏在しない。【選択図】図３
2006320588.tif 000002
【特許請求の範囲】
【請求項１】
寝ている人間の頭が載置される枕において、
この枕の表側と裏側との各外面を構成する外被内に収納される、挿通穴を有する筒状の多数の第１粒状物と、
上記枕の表側と裏側との各外面を構成する外被内に収納される、上記第１の粒状物の太さより小さい挿通穴を有し、当該第１の粒状物の挿通穴より大きい大きさを有する筒状、楕円球状または真円球状の多数の第２粒状物とを備えたことを特徴とする枕。
【請求項２】
上記枕の内部は、上記人間の頭の載置される方向つまり垂直方向に対して、上記枕に内蔵される分離体によって複数の分離層に分離され、
これら複数の分離層の中には、上記第１粒状物及び第２粒状物が内蔵され、これら第１粒状物及び第２粒状物は、各分離層ごとに、大きさまたは硬さが異なっていることを特徴とする請求項１記載の枕。
【請求項３】
上記枕の内部は、上記人間の頭の載置される方向つまり垂直方向に対して、上記枕に内蔵される分離体によって複数の分離層に分離され、
これら複数の分離層の一部の中には、上記第１粒状物及び第２粒状物が内蔵され、複数の分離層の他の一部の中には、可撓性を有する綿状または布状の繊維体が内蔵されることを特徴とする請求項１または２記載の枕。
【請求項４】
上記枕の内部は、上記人間の頭の載置される方向つまり垂直方向に対して、上記枕に内蔵される分離体によって複数の分離層に分離され、
上記人間の頭の載置される方向に直交する方向つまり水平方向に対して、上記分離層の一部または全部における、分離層の上下の分離体が互いに接合されることにより、複数の分割体に分割され、
これら複数の分割体の一部の中には、上記第１粒状物及び第２粒状物が内蔵され、複数の分割体の他の一部の中には、可撓性を有する綿状または布状の繊維体が内蔵されることを特徴とする請求項１、２または３記載の枕。
【請求項５】
寝ている人間の頭が載置される枕において、
この枕の内部において、上記人間の頭の載置される方向つまり垂直方向に対して、上記枕に内蔵される分離体によって分離された複数の分離層と、
これらの複数の分離層のうち、上記人間の頭に接する分離層を、当該人間の頭の載置される方向に直交する方向つまり水平方向に対して、当該分離層の上下の分離体が互いに接合されることにより分割された複数の分割体と、
これら複数の分割体に内蔵される第３粒状物と、
上記分割体が構成される分離層の下の分離層に内蔵される、上記第３粒状物より軟らかい第４粒状物とを備えたことを特徴とする枕。
【請求項６】
上記第１粒状物、第２粒状物、第３粒状物、第４粒状物、枕の外被、分離体および／または繊維体は、光触媒機能または遠赤外線発生機能を有していることを特徴とする請求項１、２、３、４または５記載の枕。
【請求項７】
上記第１粒状物及び第２粒状物または第３粒状物及び第４粒状物のうち、大きさの大きい方に光触媒作用があることを特徴とする請求項１、２、３、４、５または６記載の枕。
【発明の詳細な説明】
【技術分野】
【０００１】
本発明は、枕に関し、寝ている人間の頭が載置される枕に関する。
【背景技術】
【０００２】
このような枕の中に粒状の物を多数内蔵させて、頭部の当たる感触を良好にして、良い睡眠を得られる用にしたものが考えられてきている。このような粒状物には、真円球、楕円球、筒状、パイプ状等が考えられる。
【０００３】
ところが、このような粒状物を複数種類用意して枕内に内蔵させると、使用しているうち、または枕を洗濯などすると、種類の異なる粒状物同士が互いに入り込んでしまい、１つの粒状物が他方の粒状物内に入り込んで、粒状物全体としての体積が減少してしまうことがあった。
【０００４】
【特許文献１】特開２００２−１０２０３７号公報
【特許文献２】特開昭６３−１０９６０号公報
【発明の開示】
【発明が解決しようとする課題】
【０００５】
本発明は、上述した課題を解決するためになされたものであり、本発明の目的は、枕内に粒状物を内蔵させるにあたり、１つの粒状物が他方の粒状物内に入り込むことがなく、長く使用しても、また枕を洗濯しても、粒状物全体としての体積が減少してしまうことなく、長く快適に使用できる枕を提供することにある。
【課題を解決するための手段】
【０００６】
本件第1発明は、この枕の表側と裏側との各外面を構成する外被内に収納される、挿通穴を有する筒状の多数の第１粒状物と、上記枕の表側と裏側との各外面を構成する外被内に収納される、上記第１の粒状物の太さより小さい挿通穴を有し、当該第１の粒状物の挿通穴より大きい大きさを有する筒状、楕円球状または真円球状の多数の第２粒状物とを備えた。
【０００７】
本件第２発明は、枕の内部において、上記人間の頭の載置される方向つまり垂直方向に対して、上記枕に内蔵される分離体によって分離された複数の分離層と、これらの複数の分離層のうち、上記人間の頭に接する分離層を、当該人間の頭の載置される方向に直交する方向つまり水平方向に対して、当該分離層の上下の分離体が互いに接合されることにより分割された複数の分割体と、これら複数の分割体に内蔵される第３粒状物と、上記分割体が構成される分離層の下の分離層に内蔵される、上記第３粒状物より軟らかい第４粒状物とを備えた。
【発明の効果】
【０００８】
上記第１発明により、第１粒状物が第２粒状物の挿通穴に入ってしまうことがないし、第２粒状物が第１粒状物の挿通穴に入ってしまうことがない。したがって、長く使用しても、また枕を洗濯しても、粒状物全体としての体積が減少してしまうことなく、長く快適に使用できる。
【０００９】
上記第２発明により、第３粒状物と第４粒状物とが別々の分離層に内蔵されるため、一方の粒状物が他方の粒状物に入ってしまうことがない。特に軟らかい第４粒状物が硬い第３粒状物の中に入り込んでしまうことがない。または第３粒状物は、単なる分離層ではなく、この分離層をさらに分割した分割体に内蔵されているので、頭の重みで第３粒状物が偏って偏在してしまうことが無くなる。特に第３粒状物は硬いのでより偏在しやすいのであるが、このような偏在を防止できる。
【発明を実施するための最良の形態】
【００１０】
（１）枕本体１の構造
図１、図２及び図３は枕の表面（表側の外面）、裏面（裏側の外面）及び断面を示す。寝ている人間の頭が載置される枕本体１は、長方形状の表布（外被）２及び裏布（外被）３が周縁で縫合されている。
【００１１】
この表布２及び裏布３の間には長方形状の分離布４が挟まれ、この分離布４は、表布２及び裏布３とともに周縁で縫合されている。この分離布４によって、枕本体１の中の表側と裏側とが互いに分断分離され、表分離層５及び裏分離層６の複数の分離層からなる多層構造が形成されている。
【００１２】
上記表布２と分離布４とは、上記周縁のほか、横に延びる複数例えば４本の表縫合ライン（接合ライン）７…、７ａで互いに縫合されている。この４本の表縫合ライン７…、７ａによって、枕本体１の中の表布２及び分離布４との間の分離層５が分割されて、５列の細長い分割嚢８…が形成される。この分割嚢８…は、上記４本の表縫合ライン７…、７ａによって、相互に遮蔽されている。
【００１３】
この５列の分割嚢８…の一番端の人間の首付近があたる、端表縫合ライン７ａによって形成される端分割嚢８ａの幅は、他の分割嚢８…の幅より若干太くなっており、この端分割嚢８ａは、２本の端縫合ライン（接合ライン）９…によって、さらに３つに分割されている。この３つの端分割嚢８ａは、上記２本の端縫合ライン９…によって、相互に遮蔽されている。
【００１４】
上記分離布（分離体）４と裏布（外被）３との間の裏分離層６の中には、もう１つの長方形状の裏分離布（分離体）１０が挟まれ、この裏分離布１０は上記表布２、裏布３及び分離布４と３つの辺の周縁で縫合されている。裏分離布１０の残り１つの辺の周縁は、上記端分割嚢８ａの端表縫合ライン７ａに縫合（接合）されている。
【００１５】
この裏分離布１０の上の分割布４との間は、上裏分離層６ａとなっており、裏分離層１０の下の裏布３との間は、下裏分離層６ｂとなっている。この下裏分離層６ｂは、上記端分割嚢８ａの下の部分の分離布４にも囲まれている。
【００１６】
上記裏布３は２枚または３枚以上の不織布等の布が重ねられて多数の斜めの裏縫合ライン１１…で縫合されて、キルティング加工されている。これに対して、表布２は、上述したように、横に延びる４本の表縫合ライン７…、７ａが形成されている。これにより、枕本体１の表側と裏側の表面デザイン、表面形状が異なっていて、枕本体１の表裏が明確に区別されて、枕本体１の表裏を過誤しないようになっている。
【００１７】
（２）内蔵される粒状物
図４は、枕本体１内に収納／内蔵される各種粒状物を示す。この粒状物は、硬質筒粒状物２１…、軟質筒粒状物２２…、球粒状物２３…からなっている。
【００１８】
硬質筒粒状物（ポリカットチューブ）２１…は、例えば、長さ４乃至１５ｍｍ、望ましくは６乃至１０ｍｍ、外直径３乃至１０ｍｍ、望ましくは４乃至５ｍｍ、厚さ０．０１乃至１ｍｍ、望ましくは０．０５乃至０．１ｍｍであり、材質はポリエチレン、ポリプロピレンなどの合成樹脂（プラスチック）などからなり、比較的硬いが可撓性を有している。
【００１９】
上記軟質筒粒状物（ポリカットチューブ）２２…は、例えば、長さ４乃至１５ｍｍ、望ましくは６乃至１０ｍｍ、外直径３乃至１０ｍｍ、望ましくは４乃至５ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的軟らかく可撓性を有していて、上記硬質筒粒状物２１…より軟らかい。
【００２０】
上記球粒状物２３…は、例えば、外直径３乃至２０ｍｍ、望ましくは５乃至１０ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的硬いが可撓性を有している。硬さは、上記硬質筒粒状物２１…または／及び軟質筒粒状物２２…より硬くても軟らかくてもよい。
【００２１】
上記硬質筒粒状物２１…、軟質筒粒状物２２…は筒状であるため、挿通穴２４、２５が形成され、さらに上記球粒状物２３…にも一対の挿通穴２６、２６が形成されている。この球粒状物２３の挿通穴２６の大きさは、球粒状物２３の外直径の２０％乃至５０％であり、０．６乃至１０ｍｍ、望ましくは１乃至５ｍｍとなる。また、上記硬質筒粒状物２１…、軟質筒粒状物２２…の挿通穴２４、２５の大きさは、２乃至９．９９ｍｍ、望ましくは３乃至４．９９ｍｍとなる。
【００２２】
上記硬質筒粒状物２１…及び球粒状物２３…は、上記分割嚢（分割体）８（表分離層５）に収納／内蔵され、軟質筒粒状物２２…及び球粒状物２３…は、上記上裏分離層６ａ（裏分離層６）に収納／内蔵される。
【００２３】
したがって、硬質筒粒状物２１…と軟質筒粒状物２２…とは、枕本体１の同じ箇所に収納されないので、硬質筒粒状物２１…が軟質筒粒状物２２…の挿通穴２５内に入ってしまうことがないし、逆に軟質筒粒状物２２…が硬質筒粒状物２１…の挿通穴２４内に入ってしまうことがない。したがって、長く使用しても、また枕本体１を洗濯しても、粒状物２１、２２、２３全体としての体積が減少してしまうことなく、長く快適に使用できる。
【００２４】
また、球粒状物２３…の挿通穴２６…の大きさは、硬質筒粒状物２１…及び軟質筒粒状物２２…の外直径／大きさ／太さより小さく、また球粒状物２３…の外直径／大きさは、硬質筒粒状物２１…及び軟質筒粒状物２２…の挿通穴２４、２５の大きさより大きく選択される。したがって、硬質筒粒状物２１…及び軟質筒粒状物２２…が、球粒状物２３…の挿通穴２６内に入ってしまうことがないし、逆に球粒状物２３…が、硬質筒粒状物２１…及び軟質筒粒状物２２…の挿通穴２４、２５内に入ってしまうことがない。したがって、長く使用しても、また枕本体１を洗濯しても、粒状物２１、２２、２３全体としての体積が減少してしまうことなく、長く快適に使用できる。
【００２５】
なお、上記分割嚢（分割体）８（表分離層５）、上裏分離層６ａ（裏分離層６）に収納される粒状物は、球粒状物２３…だけとしてもよい。その方が、粒状物同士が入り込んでしまうことがより無くなる。しかし、硬質筒粒状物２１…及び軟質筒粒状物２２…は筒状であるため、通気性／放熱性／乾燥性に優れている。したがって、両者を混在させるのがよい。両者の混合割合は、重量比で１０％乃至９０％：９０％乃至１０％、望ましくは５０％：５０％である。
【００２６】
上記端分割嚢（分割体）８ａ（表分離層５）には、可撓性を有する軟らかい綿状または布状の充填綿（繊維体）２７が収納／内蔵されている。この充填綿２７は、上記軟質筒粒状物２２…より軟らかい。したがって、頭の下の首筋が当たる端分割嚢（分割体）８ａ（表分離層５）に、充填綿２７があたるので、首筋が痛くなることはない。
【００２７】
なお、下裏分離層６ｂ（裏分離層６）は空洞であるが、充填綿（繊維体）２７を充填してもよい。これにより、枕本体１の各分離層５、６ａ、６ｂにわたって硬度／軟度を徐々に変えていくことができ、頭の重量／圧力を一点に集中させることなく快適に枕本体１全体に分散させることができる。
【００２８】
しかも、頭に一番近い箇所には最も硬い硬質筒粒状物２１…が当たるので、マッサージ効果を発揮できる。また、寒い時には枕本体１を裏返して使用すれば、頭に一番近い箇所には最も軟らかい充填綿２７があたるので、頭全体を隙間無く包み込んで保温することができる。暑い時には枕全体１を元に戻して使用すれば、頭に一番近い箇所には通気性の高い硬質筒粒状物２１…が当たるので、通気／放熱／乾燥できるとともに、硬質筒粒状物２１…は硬くて変形しにくいので、この放熱を維持できる。
【００２９】
また、この端分割嚢（分割体）８ａの充填綿２７の硬さは、下裏分離層６ｂの充填綿２７より固くしてもよい。これにより、首の重量／圧力を一点に集中させることなく快適に枕本体１全体に分散させることができる。むろん、逆に軟らかくてもよい。これにより、首をより効率的に保温できる。また、上述のように同じ硬さでもよい。
【００３０】
硬質筒粒状物２１…、軟質筒粒状物２２…または／及び球粒状物２３…の一部または全部には、形状記憶作用がある。これにより、枕本体１を使用して、頭の重みでこれらが変形しても、頭の重みから解放されれば、元の形に戻るし、後述する光触媒作用などの抗菌作用／防臭作用／分解作用、遠赤外線発生作用などの加温作用／血行促進作用が低下しない。さらには、同様の理由で、充填綿２７、表布２、裏布３、分離布４、裏分離布１０についても、同様に形状記憶作用があってもよい。
【００３１】
硬質筒粒状物２１…、軟質筒粒状物２２…または／及び球粒状物２３…の一部または全部の表面には光触媒コーティングなどにより、光触媒作用などの抗菌作用／防臭作用／防虫作用／分解作用があり、充填綿２７、表布２、裏布３、分離布４または／および裏分離布１０の一部または全部には、遠赤外線発生作用などの加温作用／血行促進作用がある。
【００３２】
これにより、頭／首に対して遠赤外線で加温作用／血行促進しつつも、光触媒作用でこれら加温作用／血行促進による発汗による汚れ／悪臭発生を防止できる。また、遠赤外線も光の一種であり、遠赤外線で光触媒作用をより発揮させることができる。
【００３３】
なお、硬質筒粒状物２１…、軟質筒粒状物２２…または／及び球粒状物２３…の一部または全部に、遠赤外線発生作用などの加温作用／血行促進作用があってもよいし、充填綿２７、表布２、裏布３、分離布４または／および裏分離布１０の一部または全部には、光触媒作用などの抗菌作用／防臭作用／防虫作用／分解作用があってもよい。
【００３４】
また、球粒状物２３…だけの一部または全部に、光触媒作用などの抗菌作用／防臭作用／防虫作用／分解作用を持たせることが望ましい。これは、わずかながら、硬質筒粒状物２１…または／及び軟質筒粒状物２２…が頭の圧力／重力でつぶされて、球粒状物２３…の中に入ってしまう可能性が若干あるが、逆に硬質筒粒状物２１…または／及び軟質筒粒状物２２…の中に球粒状物２３…が入ってしまう可能性は無いので、粒状物２１、２２、２３全体としての光触媒作用が低下してしまうことがないからである。
【００３５】
上記硬質筒粒状物２１…、軟質筒粒状物２２…及び球粒状物２３…には、場合によってアパタイト加工シリカゲルが混合される。これにより、上記乾燥作用をより向上させることができる。なお、図面では、分割嚢（分割体）８及び下裏分離層６ｂには、硬質筒粒状物２１…、軟質筒粒状物２２…及び球粒状物２３…のほかに隙間があるように見えるが、これは図面を見やすくするためであり、実際にはほぼ隙間無くこれらの粒状物２１…、２２…、２３…が充填される。
【００３６】
上記光触媒作用などのなどの抗菌作用／防臭作用／防虫作用／分解作用を発揮する素材としては、二酸化チタン、ＣｄＳ、ＣｄＳｅ、ＷＯ3 、Ｆｅ2Ｏ3 、ＳｒＴｉＯ3 、ＫＮｂＯ、シャインアップ（繊維、布、綿）、ディスメル（東洋紡績株式会社の商品）、エピコモド等が、遠赤外線発生作用などの加温作用／血行促進作用を発揮する素材としては、ゼオライト、羊毛ゼオライト、ヤンロン加工布／綿などが選択される。
【００３７】
（３）枕本体１の使用状態
図５及び図６は枕本体１の使用状態の断面を示す。上記各分割嚢（分割体）８及び端分割嚢（分割体）８ａにおける分離布４の長さ／幅は、表布２の長さ／幅より短い／狭い。したがって、硬質筒粒状物２１…または充填綿２７を内蔵／収納した各分割嚢（分割体）８及び端分割嚢（分割体）８ａは、上方へ膨らみ、人間の頭が載置されても、各各分割嚢（分割体）８及び端分割嚢（分割体）８ａの間には、隙間２８が形成される。したがって、上述の硬質筒粒状物２１…及び軟質筒粒状物２２…の通気性／放熱性／乾燥性をより向上させることができる。上裏分離層６ａまたは下裏分離層６ｂについても同様に上方または下方（裏返したとき）へ膨らんだ構造としてもよい。
【００３８】
また、図５に示すように、頭の左右方向に対しては隙間２８が形成されないので、頭に違和感が生じない。これは、寝ている間は、頭は左右に動き、上下にはあまり動かないため、左右方向に隙間２８があると、頭が動いたとき、ゴツゴツした違和感が生じるからである。これに対して、図４に示すように、上下方向に隙間２８があっても、寝ている間の頭は上下にはあまり動かないため、違和感はあまり生じない。
【００３９】
なお、各分割嚢（分割体）８及び端分割嚢（分割体）８ａは、上下方向に分割されるのではなく、左右方向に分割されてもよいし、上下及び左右方向に分割されてもよいし、斜め方向に分割されてもよい。上裏分離層６ａ及び下裏分離層６ｂそれぞれは、分割嚢８及び端分割嚢８ａのように複数に分割されていてもよい。
【００４０】
硬質筒粒状物２１…は、各分割嚢（分割体）８に分散されて収納／内蔵されているので、硬質筒粒状物２１…が頭の圧力／重量で偏ってしまうことがない。また、充填綿２７も、３つに分割された端分割嚢（分割体）８ａに収納／内蔵されているので、充填綿２が首の圧力／重量で偏って偏在してしまうことがない。なお、これら分割嚢（分割体）８及び端分割嚢（分割体）８ａは、分割されず、一部または全部が一体につながっていてもよい。
【００４１】
このような枕本体１は洗濯しても、型くずれせず、硬質筒粒状物２１…、軟質筒粒状物２２…及び球粒状物２３…が互いに入り込みあってしまうことがない。また、丸洗いの洗濯にも耐え、７０度乃至９０度で乾燥させても、型くずれせず、硬質筒粒状物２１…、軟質筒粒状物２２…及び球粒状物２３…が互いに入り込みあってしまうことがない。
【００４２】
上記裏布３は数枚の布が重ねられて多数の斜めの裏縫合ライン１１…で縫合されて、キルティング加工されている。これに対して、表布２は、上述したように、横に延びる４本の表縫合ライン７…、７ａが形成されている。これにより、枕本体１の表側と裏側の表面デザイン、表面形状が異なっていて、枕本体１の表裏が明確に区別されて、枕本体１の表裏を過誤しないようになっている。
【００４３】
この枕本体１の表側の表縫合ライン７…、７ａと裏側の裏縫合ライン１１…との相違は、手で触ってもわかり、触覚上の感触は異なっていて、表裏が明確に区別されて、表裏を過誤しないようになっている。なお、場合によって、枕本体１の表裏の表面模様または／及び表面色彩は異なっている。これにより、枕本体１の表裏が明確に区別されて、表裏を過誤しないようになっている。
【００４４】
（４）他の実施の形態
本発明は上記各実施例に限定されず、本発明の趣旨を逸脱しない範囲で種々変更可能である。例えば、表布（外被）２、裏布（外被）３、分離布（分離体）４または裏分離布（分離体）１０は、通気性のよい布や、網状でもよい。これにより、枕本体１に載置される人間の頭からの熱を効率よく放熱できる。
【００４５】
また、分離布（分離体）４または裏分離布（分離体）１０、場合によって表布（外被）２の内側、裏布（外被）３の内側は、金属繊維などの光の反射機能の高い布でもよい。これにより、硬質筒粒状物２１…、軟質筒粒状物２２…または球粒状物２３…に光触媒機能があるとき、光反射によってこの機能を向上させることができる。また遠赤外線を反射させて、遠赤外線による加温作用／血行促進作用を向上させることができる。
【００４６】
さらに、硬質筒粒状物２１…と軟質筒粒状物２２…とは同形同大であったが、異なる形、異なる大きさでもよく、一方が他方より長く／太く／厚く／大きくても良い。同じ材質及び同じ厚さであれば、大きいほど硬度が軟らかくなるので、大きい方を上記軟質筒粒状物２２…とすることができる。
【００４７】
また、上記硬質筒粒状物２１…と軟質筒粒状物２２…は、筒状のほか、楕円球状または真円球状などでもよい。また、上記球粒状物２３…は、真円球状のほか、筒状または楕円球状などでもよい。挿通穴２４、２５は、硬質筒粒状物２１…と軟質筒粒状物２２…の側面に複数形成されてもよいし、挿通穴２６は、球粒状物２３…の表面に多数形成されてもよいし、１つだけ形成されてもよい。硬質筒粒状物２１…、軟質筒粒状物２２…または球粒状物２３…の挿通穴２４、２５または２６の一部または全部は省略されて無くてもよい。
【００４８】
さらに、端分割嚢（分割体）８ａ内の充填綿２７は省略されてもよい。下裏分離層６ｂまたは端分割嚢８ａには、充填綿２７の代わりに軟質筒粒状物２２…が内蔵／収納されてもよいし、上裏分離層６ａには、軟質筒粒状物２２…の代わりに充填綿２７が内蔵／収納されてもよい。
【００４９】
また、裏分離布１０の周縁は、すべて表布２、裏布３及び分離布４の周縁と一致していて縫合／接合されてもよい。逆に、裏分離布１０の周縁は、すべて分離布４のみに表縫合ライン７…、７ａにて縫合／接合されてもよい。
【００５０】
上記硬質筒粒状物２１…または軟質筒粒状物２２…及び球粒状物２３…には、さらに別の粒状物が付加混合されてもよい。この場合、この付加混合される別の粒状物は、通常は真円球状または楕円球状であり、大きさは球粒状物２３…より大きくてもよいし、小さくてもよい。しかし、硬質筒粒状物２１…または軟質筒粒状物２２…が入り込まないような形状／大きさ、及び硬質筒粒状物２１…または軟質筒粒状物２２…に入り込まないような形状／大きさに選択される。
【００５１】
このような付加混合される別の粒状物の硬さは、上裏分離層６ａに内蔵／収納されるものより、分割嚢８に内蔵／収納されるものの方が硬いが、同じ硬さでもよい。また、上記球粒状物２３…の硬さ／大きさは、上裏分離層６ａに内蔵／収納されるものと、分割嚢８に内蔵／収納されるものとは同じ硬さ／同じ大きさであったが、上裏分離層６ａに内蔵／収納されるものより、分割嚢８に内蔵／収納されるものの方が硬く／小さくてもよい。
【００５２】
下裏分離層６ｂには、上記軟質筒粒状物２２…または球粒状物２３…より軟らかい粒状物が内蔵／収納されてもよい。表分離層５、上裏分離層６ａ（裏分離層６）、下裏分離層６ｂ（裏分離層６）の数は、もっと多くされ、枕本体１が多層に形成されてもよい。この場合でも、各分離層に収納／内蔵／充填される粒状体／繊維体は、下に向かうにしたがって徐々に軟らかくなる。
【００５３】
上記上裏分離層６ａ（裏分離層６）は、上記分割嚢（分割体）８、端分割嚢（分割体）８ａのように、複数の分割体に分割され、下裏分離層６ｂも、同様に複数の分割体に分割され、同様にして各分離層もさらに複数の分割体に分割されてもよい。この場合、内装／収納される粒状物／繊維体が軟らかくなるにしたがって、当該分割体の数が少なくなってもよいし、多くなってもよい。
【００５４】
粒状物／繊維体が軟らかくなるにしたがって、分割体の数が少なくなるとき、粒状物／繊維体が軟らかくなるほど偏在しにくくなるので、偏在の頻度に応じて分割体の数を変えていくことができる。粒状物／繊維体が軟らかくなるにしたがって、分割体の数が多くなるとき、粒状物／繊維体が軟らかくなるほど変形し易くなるので、変形のし易さ応じて分割体の数を変えていくことができる。
【００５５】
（５）他の発明の効果
［１］寝ている人間の頭が載置される枕において、  この枕の表側と裏側との各外面を構成する外被内に収納される、挿通穴を有する筒状の多数の第１粒状物と、  上記枕の表側と裏側との各外面を構成する外被内に収納される、上記第１の粒状物の太さより小さい挿通穴を有し、当該第１の粒状物の挿通穴より大きい大きさを有する筒状、楕円球状または真円球状の多数の第２粒状物とを備えたことを特徴とする枕。これにより、第１粒状物が第２粒状物の挿通穴に入ってしまうことがないし、第２粒状物が第１粒状物の挿通穴に入ってしまうことがない。したがって、長く使用しても、また枕を洗濯しても、粒状物全体としての体積が減少してしまうことなく、長く快適に使用できる。
【００５６】
［２］上記枕の内部は、上記人間の頭の載置される方向つまり垂直方向に対して、上記枕に内蔵される分離体によって複数の分離層に分離され、  これら複数の分離層の中には、上記第１粒状物及び第２粒状物が内蔵され、これら第１粒状物及び第２粒状物は、各分離層ごとに、大きさまたは硬さが異なっていることを特徴とする請求項１記載の枕。これにより、種々の硬さ／頭への種々の触感を同時に実現できる。
【００５７】
［３］上記枕の内部は、上記人間の頭の載置される方向つまり垂直方向に対して、上記枕に内蔵される分離体によって複数の分離層に分離され、  これら複数の分離層の一部の中には、上記第１粒状物及び第２粒状物が内蔵され、複数の分離層の他の一部の中には、可撓性を有する綿状または布状の繊維体が内蔵されることを特徴とする請求項１または２記載の枕。これにより、第１粒状物及び第２粒状物と繊維体とで、硬すぎることもなく、軟らかすぎることもない調和のとれた快適な枕を実現できる。
【００５８】
［４］上記枕の内部は、上記人間の頭の載置される方向つまり垂直方向に対して、上記枕に内蔵される分離体によって複数の分離層に分離され、  上記人間の頭の載置される方向に直交する方向つまり水平方向に対して、上記分離層の一部または全部における、分離層の上下の分離体が互いに接合されることにより、複数の分割体に分割され、  これら複数の分割体の一部の中には、上記第１粒状物及び第２粒状物が内蔵され、複数の分割体の他の一部の中には、可撓性を有する綿状または布状の繊維体が内蔵されることを特徴とする請求項１、２または３記載の枕。これにより、第１粒状物及び第２粒状物、繊維体が使用しているうちに偏って偏在してしまうことがなくなる。
【００５９】
［５］  寝ている人間の頭が載置される枕において、  この枕の内部において、上記人間の頭の載置される方向つまり垂直方向に対して、上記枕に内蔵される分離体によって分離された複数の分離層と、  これらの複数の分離層のうち、上記人間の頭に接する分離層を、当該人間の頭の載置される方向に直交する方向つまり水平方向に対して、当該分離層の上下の分離体が互いに接合されることにより分割された複数の分割体と、  これら複数の分割体に内蔵される第３粒状物と、  上記分割体が構成される分離層の下の分離層に内蔵される、上記第３粒状物より軟らかい第４粒状物とを備えたことを特徴とする枕。
【００６０】
これにより、第３粒状物と第４粒状物とが別々の分離層に内蔵されるため、一方の粒状物が他方の粒状物に入ってしまうことがない。特に軟らかい第４粒状物が硬い第３粒状物の中に入り込んでしまうことがない。または第３粒状物は、単なる分離層ではなく、この分離層をさらに分割した分割体に内蔵されているので、頭の重みで第３粒状物が偏って偏在してしまうことが無くなる。特に第３粒状物は硬いのでより偏在しやすいのであるが、このような偏在を防止できる。
【００６１】
［６］上記第１粒状物、第２粒状物、第３粒状物、第４粒状物、枕の外被、分離体および／または繊維体は、光触媒機能または遠赤外線発生機能を有していることを特徴とする請求項１、２、３、４または５記載の枕。これにより、遠赤外線によって達成される加温作用／血行促進作用による発汗を光触媒作用で分解／防臭／抗菌できる。また、遠赤外線も光の一種であり、遠赤外線で光触媒作用をより発揮させることができる。
【００６２】
[７] 上記第１粒状物及び第２粒状物または第３粒状物及び第４粒状物のうち、大きさの大きい方に光触媒作用があることを特徴とする請求項１、２、３、４、５または６記載の枕。これにより、万が一、一方の粒状物が他方の粒状物の中に入っても、大きい方の粒状物の表面が光から遮蔽されることがなく、光触媒作用が低下しない。
【産業上の利用可能性】
【００６３】
本件発明は、第１の粒状物の太さより小さい挿通穴を有し、当該第１の粒状物の挿通穴より大きい大きさを有する第２粒状物を枕本体内に混合収納して、一方の粒状物が他方の粒状物内に入らないようにした。枕本体１の分割嚢（分割体）８（表分離層５）には硬質筒粒状物２１及び球粒状物２３が内蔵され、上裏分離層６ａには軟質筒粒状物２２及び球粒状物２３が内蔵される。
【００６４】
球粒状物２３の挿通穴２６は、硬質筒粒状物２１及び軟質筒粒状物２２の太さより小さく、球粒状物２３の大きさは硬質筒粒状物２１及び軟質筒粒状物２２の挿通穴２４、２５より大きいので、一方が他方の中に入り込んでしまわない。軟質筒粒状物２２は硬質筒粒状物２１より軟らかく別々に収納されるので、軟質筒粒状物２２が硬質筒粒状物２１の中に入ってしまうことがない。硬質筒粒状物２１は分割嚢８に分散されて偏在しない。
【図面の簡単な説明】
【００６５】
【図１】枕本体１の表面を示す。
【図２】枕本体１の裏面を示す。
【図３】枕本体１の断面を示す。
【図４】枕本体１内に収納／内蔵される各種粒状物を示す。
【図５】枕本体１の使用状態の側方断面を示す。
【図６】枕本体１の使用状態の平方断面を示す。
【符号の説明】
【００６６】
１…枕本体、２…表布（外被）、
３…裏布（外被）、４…分離布（分離体）、
５…表分離層、６…裏分離層、
６ａ…上裏分離層、６ｂ…下裏分離層、
７…表縫合ライン（接合ライン）、
７ａ…端表縫合ライン（接合ライン）、
８…分割嚢（分割体）、８ａ…端分割嚢（分割体）、
９…端縫合ライン、１０…裏分離布（分離体）、
１１…裏縫合ライン（接合ライン）、
２１…硬質筒粒状物、２２…軟質筒粒状物、
２３…球粒状物、２４、２５、２６…挿通穴、
２７…充填綿（繊維体）、２８…隙間。
【図１】
2006320588.tif 000003
【図２】
2006320588.tif 000004
【図３】
2006320588.tif 000005
【図４】
2006320588.tif 000006
【図５】
2006320588.tif 000007
【図６】
2006320588.tif 000008